(57)【要約】【課題】コネクタ部分から電磁波がマイクロホン内部に侵入することを確実に遮蔽することができ、音声信号に雑音が混入することを防止するマイクロホンコネクタを得る。【解決手段】マイクロホンケーブルの端部に設けられているケーブル側コネクタを受け入れてマイクロホンケーブルとマイクロホンの内部回路を接続するコネクタ部５０がマイクロホンケース２０に設けられてなるマイクロホンコネクタであって、導電性の材料からなるコネクタケース３０がマイクロホンケース２０のコネクタ部５０に嵌められてコネクタケース３０とマイクロホンケース２０とが電気的に接触し、ケーブル側コネクタがマイクロホンケース２０のコネクタ部５０に装着された状態でケーブル側コネクタのコネクタケースとマイクロホンケース２０側のコネクタケース３０とが電気的に接触する。【選択図】図１
2006074420.tif 000002
【特許請求の範囲】
【請求項１】
マイクロホンケーブルの端部に設けられているケーブル側コネクタを受け入れてマイクロホンケーブルとマイクロホンの内部回路を接続するコネクタ部がマイクロホンケースに設けられてなるマイクロホンコネクタであって、
導電性の材料からなるコネクタケースがマイクロホンケースのコネクタ部に嵌められて上記コネクタケースとマイクロホンケースとが電気的に接触し、
ケーブル側コネクタがマイクロホンケースのコネクタ部に装着された状態でケーブル側コネクタのコネクタケースと上記マイクロホンケース側のコネクタケースとが電気的に接触することを特徴とするマイクロホンコネクタ。
【請求項２】
ケーブル側コネクタのコネクタケースはマイクロホンケーブルのシールド線が接続された接地用のピンと電気的に接続されていて、ケーブル側コネクタがマイクロホンケースのコネクタ部に装着された状態でマイクロホンケースはマイクロホンケース側のコネクタケースとケーブル側コネクタのコネクタケースを通じてマイクロホンケーブルのシールド線に接続される請求項１記載のマイクロホンコネクタ。
【請求項３】
マイクロホンケースのコネクタ部は接地用のピンおよび信号用のピンを保持する保持体を有し、この保持体にはネジがねじ込まれていて、このネジが保持体から突出しマイクロホンケース側のコネクタケースをマイクロホンケースに押し付けることによってマイクロホンケース側のコネクタケースがマイクロホンケースに固定されている請求項１記載のマイクロホンコネクタ。
【請求項４】
マイクロホンケースおよびマイクロホンケース側のコネクタケースには、保持体にねじ込まれているネジを回転させるドライバを挿入することができる孔が形成されている請求項３記載のマイクロホンコネクタ。
【請求項５】
マイクロホンケース側のコネクタケースは、このコネクタケースに嵌められるケーブル側コネクタのコネクタケースの抜け止めをなし、操作によって抜け止めを解除することができるラッチが係合するための孔を有する請求項１記載のマイクロホンコネクタ。
【請求項６】
マイクロホンケースはダイカスト製である請求項１記載のマイクロホンコネクタ。
【請求項７】
マイクロホンケース側のコネクタケースは銅合金製である請求項１または６記載のマイクロホンコネクタ。
【発明の詳細な説明】
【技術分野】
【０００１】
本発明は、マイクロホンコネクタに関するもので、特に、マイクロホンケーブルの端部に設けられているコネクタとの結合強度を高めるとともに、コネクタのシールドとマイクロホンケースとの接触導通を安定化させることができるマイクロホンコネクタに関する。
【背景技術】
【０００２】
コンデンサーマイクロホンは、マイクロホンユニットのインピーダンスが高いことから、ＦＥＴ（電界効果型トランジスタ）などを有してなるインピーダンス変換器を内蔵し、低インピーダンス化して出力するように構成されている。マイクロホンで変換された音声信号は、コネクタによってマイクロホンに接続される平衡シールドケーブルで出力される。
【０００３】
強力な電磁波がマイクロホンの出力ケーブルに侵入すると、高周波電流は出力ケーブルを伝わり、マイクロホンコネクタを介してマイクロホン内部に入り込み、可聴周波数の雑音となる。特にコンデンサーマイクロホンの場合は、出力ケーブルから侵入した高周波電流がインピーダンス変換器で復調され、可聴周波数の雑音としてマイクロホン出力に混入しやすいという難点がある。
【０００４】
また、近年のように、携帯電話などの普及によって高周波の電磁波があらゆる場所に身近に存在していると、高周波信号がマイクロホンケーブルあるいはそのコネクタ部分から進入し、音声信号にノイズが入り込むケースが増えている。特にコンデンサーマイクロホンの場合は、その近くで携帯電話などを使用すると、携帯電話から出た高周波信号の影響を受けやすく、コネクタ部分から進入した高周波信号がノイズになりやすいという問題がある。
【０００５】
一般に、マイクロホンに対してマイクロホンケーブルは、３ピンのマイクロホンコネクタ（例えば、ＥＩＡＪ  ＲＣ−５２３６「音響機器用ラッチロック式丸型コネクタ」で規定されるコネクタ）によって着脱できるように構成されている。上記３ピンのマイクロホンコネクタは、１番ピンが接地、２番ピンが信号のホット側、３番ピンが信号のコールド側として一般に使用されている。ケーブル側のコネクタケースは、マイクロホンケーブルの接地用の１番ピンに接続されている。ケーブル側のコネクタが挿入されるマイクロホン側のマイクロホンケースはマイクロホンのシールドとして機能する。ケーブル側のコネクタケースのうちマイクロホン側のコネクタ部に嵌まり込む部分はマイクロホンケースと接触し電気的に接続される。
【０００６】
図３は、従来のマイクロホンの例を示す。図３において、マイクロホンケース２０の基端部２２には、図示されないマイクロホンケーブルの端部に設けられているケーブル側コネクタを受け入れて、マイクロホンケーブルとマイクロホンの内部回路を接続するマイクロホンコネクタ５０が設けられている。マイクロホンコネクタ５０は、マイクロホンケース２０の基端部２２の内周面と、マイクロホンケース２０の基端からやや奥まった位置に嵌められて固定された絶縁体からなる保持体２６と、この保持体２６を貫通して保持されている３個のピン２８を有してなる。３個のピン２８は、例えば前述のＥＩＡＪ  ＲＣ−５２３６の規格に則ったもので、１番ピンが接地、２番ピンが信号のホット側、３番ピンが信号のコールド側として割り当てられている。
【０００７】
保持体２６の内側面からは、上記各ピン２８と一体の接続端子２９がマイクロホンケース２０の内部に向かって突出している。各接続端子２９は、マイクロホンケース２０の内部に配置された回路基板４０の所定の配線パターンに導体を介して接続されている。マイクロホンケース２０の内部先端側にはマイクロホンユニット６０が配置されている。マイクロホンユニット６０は例えばコンデンサーマイクロホンユニットで、その出力信号端子、電源端子などが回路基板４０の所定の配線パターンに接続されている。マイクロホンケース２０の先端部には、マイクロホンユニット６０を覆って風防２４が取り付けられている。
【０００８】
前述のように、マイクロホンケーブル側コネクタのコネクタケースは、接地用の１番ピンとともにマイクロホンケーブルのシールドと電気的に接続され、上記ケーブル側コネクタがマイクロホンコネクタ５０に嵌め込まれた状態では、ケーブル側コネクタケースがマイクロホンケースに接触してマイクロホンケース２０と電気的に接続される。したがって、マイクロホンケース２０もシールドされ、外部からの電磁波の侵入を遮蔽する機能を持っている。
【０００９】
内部回路が構成された回路基板４０を収納するマイクロホンケース２０は、上記のようにシールド機能を持つように導電性材料で作成されるが、加工性の問題、あるいはコストの制約から、亜鉛やアルミニウムのダイカストで作成される。特に、歌唱時などに用いる手持ち用のマイクロホンは、手で持ちやすいように、微妙に変化する曲線からなる形状にする必要があることから、旋盤などによる切削加工では加工コストが嵩む。そのため、通常、ダイカストによって作成される。
【００１０】
従来、ステージで使用される手持ちタイプのマイクロホンはダイナミック型が多く、電磁波による雑音の問題は発生しなかった。しかし、近年、ステージ用の手持ちタイプのマイクロホンにもＣＤなどの音質に匹敵する音質が求められるようになったため、スタジオ録音に使用するマイクロホンユニット、例えばコンデンサマイクユニットを、手持ちタイプのマイクロホンに搭載するようになってきている。したがって、ダイカスト製のマイクロホンケース２０が増え、それに応じて、ケーブル側コネクタのコネクタケースとマイクロホンケース２０との電気的な接触抵抗の低減が要求されることを容易に予測することができる。
【００１１】
しかるに、ダイカスト製品は、鋳肌の酸化皮膜によって、亜鉛やアルミニウム素材よりも電気的な接触抵抗が大きくなり、ケーブル側のコネクタと、ダイカスト製のマイクロホンケースのコネクタ部との接触は不安定である。加えて、コネクタは頻繁に着脱されるため、相互にある程度のがたが生じており、ケーブル側のコネクタとマイクロホンケースのコネクタ部とが点接触の状態になる。そのため、コネクタ部分のシールドが不安定になり、特に電磁波の侵入を要因とする雑音を発生させやすいという問題がある。
【００１２】
なお、本発明に関連のある先行技術として、マイクロホン本体を円筒状のシールド部材で囲むことが提案されている（例えば、特許文献１、引用文献２参照）。しかし、これまでは、コネクタの部分のシールドは重要視されておらず、マイクロホン全体をシールドケースで覆ったとしても、コネクタ部分から進入しようとする電磁波を遮蔽することはできなかった。そのため、電磁波を要因とする雑音が音声信号に混入することを防止することはできない。
【００１３】
【特許文献１】特開２００２−１５２８９２号公報
【特許文献２】特開平１１−１５５１９８号公報
【発明の開示】
【発明が解決しようとする課題】
【００１４】
本発明は、以上述べた従来技術の問題点にかんがみてなされたもので、マイクロホンケースがダイカスト製であったとしても、マイクロホンケーブル側のコネクタとマイクロホンケースを確実に接触させて電気的な接触を安定化させることができ、もって、コネクタ部分から電磁波がマイクロホン内部に侵入することを確実に遮蔽することができるようにし、音声信号に雑音が混入することを防止することができるマイクロホンコネクタを提供することを目的とする。
本発明はまた、マイクロホンケーブル側のコネクタを嵌め込んだ状態を維持するためのラッチ部の耐久性を高めることができるマイクロホンコネクタを提供することを目的とする。
【課題を解決するための手段】
【００１５】
本発明は、マイクロホンケーブルの端部に設けられているケーブル側コネクタを受け入れてマイクロホンケーブルとマイクロホンの内部回路を接続するコネクタ部がマイクロホンケースに設けられてなるマイクロホンコネクタであって、導電性の材料からなるコネクタケースがマイクロホンケースのコネクタ部に嵌められて上記コネクタケースとマイクロホンケースとが電気的に接触し、ケーブル側コネクタがマイクロホンケースのコネクタ部に装着された状態でケーブル側コネクタのコネクタケースとマイクロホンケース側のコネクタケースとが電気的に接触することを最も主要な特徴とする。
【発明の効果】
【００１６】
ケーブル側コネクタがマイクロホンケースのコネクタ部に装着されると、ケーブル側コネクタのコネクタケースがマイクロホンケースのコネクタ部に嵌められているコネクタケースと導通し、このマイクロホンケースのコネクタ部のコネクタケースはマイクロホンケースと導通する。よって、ケーブル側コネクタとマイクロホンケースが導通してシールドされ、外部からコネクタ部を通じて内部回路に侵入しようとする電磁波を効果的に遮蔽することができ、音声信号に雑音が混入することなく、信号対雑音比の良好なマイクロホンを得ることができる。マイクロホンケースはダイカスト製であったとしても、マイクロホンケーブル側のコネクタとマイクロホンケースを確実に接触させて電気的な接触を安定化させることができ、コネクタ部におけるシールド効果を安定して得ることができる。
【発明を実施するための最良の形態】
【００１７】
以下、図面を参照しながら本発明にかかるマイクロホンコネクタの実施例を説明する。
図１、図２において、マイクロホンケース２０の基端部２２には、図示されないマイクロホンケーブルの端部に設けられているケーブル側コネクタを受け入れて、マイクロホンケーブルとマイクロホンの内部回路を接続するマイクロホンコネクタ５０が設けられている。マイクロホンコネクタ５０は、マイクロホンケース２０の基端部２２の内周面と、マイクロホンケース２０の基端からやや奥まった位置に嵌められて固定された絶縁体からなる保持体２６と、この保持体２６を貫通して保持されている３個のピン２８を有してなる。３個のピン２８は、例えば前述のＥＩＡＪ  ＲＣ−５２３６の規格に則ったもので、１番ピンが接地、２番ピンが信号のホット側、３番ピンが信号のコールド側として割り当てられている。
【００１８】
本発明にかかるマイクロホンコネクタの特徴は、マイクロホンコネクタ５０に、導電性の材料、例えば銅合金からなるコネクタケース３０が嵌められていることである。図２はマイクロホン側のコネクタケース３０の例を詳細に示す。図２において、コネクタケース３０は全体として円筒形の部材で、軸線方向の一端部にフランジ３６を有し、円筒形の周壁に円形の孔３２と四角形の孔３４を有している。孔３２は後で説明するドライバを通すための孔で、フランジ３６形成側とは反対側の端部寄りに形成されている。上記孔３４は、このコネクタケース３０に嵌められるケーブル側コネクタのラッチが係合するための孔である。このラッチは、マイクロホン側のコネクタケース３０に嵌められるケーブル側コネクタケースの抜け止めをなすもので、操作によって抜け止めを解除することができる。
【００１９】
上記マイクロホン側のコネクタケース３０は、図１、図２（ｂ）に示すように、フランジ３６がマイクロホンケース２０の端面に当接し、また、この状態で前記保持体２６を外側から囲むことができる長さを有している。保持体２６は外周側から中心軸線に向かってネジ孔２７が形成されていて、このネジ孔２７にはネジ７０がねじ込まれている。上記コネクタケース３０の円形の孔３２は上記ネジ孔２７およびネジ７０と対向する位置にある。また、マイクロホンケース２０の基端部２２には、上記円形の孔３２と重なる位置に孔３９が形成されている。これらの孔３２，３９は、外部からドライバを挿入してネジ７０を回転させるための孔である。孔３２，３９から挿入したドライバでネジ７０がネジ孔２７から保持体２６の半径方向外側に向かって突出する向きに回転させられることにより、ネジ７０の先端がコネクタケース３０をマイクロホンケース２０の基端部２２の内周面に押し付けている。こうして、コネクタケース３０はマイクロホンケース２０に確実に固定されている。なお、ネジ７０の頭部は、上記孔３２，３９に嵌まることができる直径で、ドライバの先端が嵌ることができる摺り割が形成されており、ネジ７０の本体は上記頭部よりも径が大きく、本体と頭部の境界に段部が形成されている。この段部がコネクタケース３０をマイクロホンケース２０の基端部２２の内周面に押し付け、頭部は孔３２，３９に嵌まっている。マイクロホンケース２０の基端部２２の外周にはカバー４５が被せられ、孔３９が塞がれている。
【００２０】
上記マイクロホン側のコネクタケース３０は、マイクロホンケース２０の基端部２２の内周面に密着することができる円筒形であり、加えて、上記のようにネジ７０でマイクロホンケース２０の基端部２２の内周面に押し付けられているため、コネクタケース３０とマイクロホンケース２０が低い接触抵抗で電気的に接続されている。
ちなみに、マイクロホンケース２０が亜鉛のダイカストの場合、抵抗率は０．０００００００５５０Ωｍであり、コネクタケース３０の材質が同の場合、低効率は０．０００００００１６７Ωｍである。
【００２１】
コネクタケース３０、保持体２６、ピン２８を含む構成部分はマイクロホンコネクタ５０を構成している。このマイクロホンコネクタ５０にケーブル側コネクタを挿入して装着すると、ケーブル側コネクタのコネクタケースがマイクロホンコネクタ５０側のコネクタケース３０に嵌まり、両方のコネクタケースが面接触した状態で電気的に導通する。コネクタケース３０とマイクロホンケース２０も電気的に導通しているため、ケーブル側コネクタのコネクタケースはマイクロホン側コネクタのコネクタケースに電気的に導通している。ケーブル側コネクタのコネクタケースは、ケーブルのシールド線と電気的に接続されてシールド機能を持ったコネクタケースであるから、マイクロホン側コネクタのコネクタケースと電気的に一体のマイクロホンケース２０もケーブル側コネクタのコネクタケースと電気的に一体となってシールド機能をもつことになり、コネクタ部におけるシールド機能が確実にかつ安定に維持される。
【００２２】
図１に示すように、前記保持体２６の内側面からは、上記各ピン２８と一体の接続端子２９がマイクロホンケース２０の内部に向かって突出している。各接続端子２９は、マイクロホンケース２０の内部に配置された回路基板４０の所定の配線パターンに導体を介して接続されている。マイクロホンケース２０の内部先端側にはマイクロホンユニット６０が配置されている。マイクロホンユニット６０は例えばコンデンサーマイクロホンユニットで、その出力信号端子、電源端子などが回路基板４０の所定の配線パターンに接続されている。マイクロホンケース２０の先端部には、マイクロホンユニット６０を覆って風防２４が取り付けられている。
【００２３】
以上説明したマイクロホンコネクタの実施例によれば、コネクタ部におけるシールド機能が確実にかつ安定に維持され、コネクタ部から侵入しようとする電磁波が遮蔽されてマイクロホン本体内に侵入することが阻止される。携帯電話などの電磁波が身近に存在しなかった従来の環境では、コネクタ部から侵入しようとする電磁波対策に思い至らなかったが、上記実施例によれば、電磁波が身近に存在するようになった現状において、マイクロホンコネクタ５０の部分から侵入しようとする電磁波についてもこれを効果的に遮蔽することができ、電磁波の侵入を原因とする音声信号への雑音の侵入を効果的に防止することができる。特に、マイクロホンユニットのインピーダンスが高いコンデンサーマイクロホンに本発明を適用することによって、電磁波の影響を受けにくい、信号対雑音比の良好なマイクロホンを得ることができる。
【００２４】
なお、マイクロホンケース２０がダイカスト製の場合、比較低柔らかい材質であるため、これにケーブル側コネクタのラッチが直接係合すると、ケーブル側コネクタの着脱を繰り返すうちにラッチとの係合部が磨耗し、コネクタとしての耐久性が不足する。その点、前記実施例によれば、マイクロホンケース２０の基端部２２の内周面に、銅合金などからなるコネクタケース３０が嵌められ、このコネクタケース３０に設けられた孔３４にケーブル側コネクタのラッチが係合する構成になっているため、ラッチとの係合部の磨耗が少なく、コネクタとしての耐久性を高めることができる。
【産業上の利用可能性】
【００２５】
本発明は、マイクロホン一般に適用可能であるが、コンデンサーマイクロホンに使用することによって、雑音防止効果をよりいっそう高めることができる。また、本発明は、プロ仕様のマイクロホンにも、汎用のマイクロホンにも適用することができる。
【図面の簡単な説明】
【００２６】
【図１】本発明にかかるマイクロホンコネクタの実施例を示す縦断面図である。
【図２】上記実施例中のコネクタケースを示すもので、（ａ）は平面図、（ｂ）は側面断面図、（ｃ）正面図である。
【図３】従来のマイクロホンの例を示す縦断面図である。
【符号の説明】
【００２７】
２０    マイクロホンケース
２６    保持体
２８    ピン
３０    コネクタケース
３２    孔
３４    孔
３９    孔
５０    マイクロホンコネクタ
７０    ネジ
【図１】
2006074420.tif 000003
【図２】
2006074420.tif 000004
【図３】
2006074420.tif 000005